(57)【要約】【課題】既存の温度センサを利用することにより、その検出温度に基づいて、停電等による一時的な非通電状態からの復帰か否かを判定し、圧縮機を起動制御することができるクランクケースヒータを備えた空気調和機を提供することを目的とする。【解決手段】圧縮機１０にクランクケースヒータ４０が設けられ、電源投入時にクランクケースヒータ４０に通電し、所定時間が経過後に圧縮機１０を起動する起動制御部４２を備えている空気調和機１において、非通電状態からの復帰時、吐出管温度センサ４４で検出された吐出管温度Ｔｄと外気温度センサ４５で検出された外気温度Ｔｏｕｔとの温度差（Ｔｄ−Ｔｏｕｔ）に基づいて、その温度差が設定温度以上の場合、停電等による一時的な非通電状態からの復帰と判定し、起動制御部４２による圧縮機１０の起動禁止を解除する起動禁止解除手段４３が設けられている。【選択図】図１
2013145092.tif 000002
【特許請求の範囲】
【請求項１】
圧縮機にクランクケースヒータが設けられ、電源投入時に前記クランクケースヒータに通電し、所定時間が経過後に前記圧縮機を起動する起動制御部を備えている空気調和機において、
非通電状態からの復帰時、吐出管温度センサで検出された吐出管温度Ｔｄと外気温度センサで検出された外気温度Ｔｏｕｔとの温度差（Ｔｄ−Ｔｏｕｔ）に基づいて、その温度差が設定温度以上の場合、停電等による一時的な非通電状態からの復帰と判定し、前記起動制御部による前記圧縮機の起動禁止を解除する起動禁止解除手段が設けられていることを特徴とするクランクケースヒータを備えた空気調和機。
【請求項２】
前記温度差（Ｔｄ−Ｔｏｕｔ）が、５ｄｅｇ以上の場合、停電等による一時的な非通電状態からの復帰であると判定し、前記起動禁止解除手段によって前記起動制御部による前記圧縮機の起動禁止を解除することを特徴とする請求項１に記載のクランクケースヒータを備えた空気調和機。
【発明の詳細な説明】
【技術分野】
【０００１】
本発明は、圧縮機を加熱するためのクランクケースヒータを備えた空気調和機に関するものである。
【背景技術】
【０００２】
空気調和機を長時間停止しておくと、冷媒が液状態となって圧縮機内に溜り込んで油に溶け込む。この状態で圧縮機を起動すると、液圧縮を引き起こすとともに、必要な油膜を形成できなくなることから、圧縮機が損傷する可能性がある。かかる現象は油温が低い場合に発生し易くなることから、寒冷地向けの空気調和機では、圧縮機にクランクケースヒータ（以下、ＣＨと略称する。）を付設し、空気調和機を運転する前にＣＨに通電して圧縮機を加熱することにより、液冷媒を追い出すようにしている。
【０００３】
ＣＨに対しては、圧縮機を起動する一定時間前に通電すればよいが、ユーザーが空気調和機を何時運転するか判らないことから、一般に空気調和機の電源がＯＮされている状態においては、圧縮機が停止期間中は常にＣＨをＯＮするようにしている。ところで、上記の如く、圧縮機が停止中、常に通電されるＣＨを備えた空気調和機であっても、非通電状態から通電状態に復帰されたとき、直ちに圧縮機を起動すると、液冷媒が油に溶け込んだ状態で圧縮機が起動される場合がある。このため、非通電状態からの復帰時には、ＣＨに通電し、所定時間経過後に圧縮機を起動可能とすることで、一定の時間、圧縮機の起動を禁止するようにしたものが提案されている（例えば、特許文献１参照）。
【先行技術文献】
【特許文献】
【０００４】
【特許文献１】特開２０００−１０５０５１号公報
【発明の概要】
【発明が解決しようとする課題】
【０００５】
しかしながら、特許文献１に記載のように、非通電状態からの復帰時、一定の時間だけ圧縮機の起動を禁止してしまうと、停電等による一時的な非通電状態からの復帰時においても、圧縮機を起動することができなくなってしまう。この場合、油温が高く、液冷媒が油に溶け込んでいるような状況ではないにも拘らず、圧縮機を起動して空調運転を行うことができない等の事態が発生する。また、電力事情により停電が頻発した場合には、停電の都度、かかる事態が発生してしまう等の課題があった。
【０００６】
一時的な非通電状態の検知は、圧縮機のドーム下（ハウジングの下方部）に温度センサを設置している空気調和機では、その検出温度に基づいて非通電状態が長時間に亘っているのか否かを判断することは比較的容易である。しかし、ドーム下温度センサを備えていない空気調和機にあっては、それを検知する術がなく、このため、温度センサ等を新たに追加設置することなく、一時的な非通電状態からの復帰か否かを簡易に判断し、圧縮機を起動制御することができる空気調和機の提供が求められていた。
【０００７】
本発明は、このような事情に鑑みてなされたものであって、既存の温度センサを利用することにより、その検出温度に基づいて、停電等による一時的な非通電状態からの復帰か否かを判定し、圧縮機を起動制御することができるクランクケースヒータを備えた空気調和機を提供することを目的とする。
【課題を解決するための手段】
【０００８】
上記した課題を解決するために、本発明のクランクケースヒータを備えた空気調和機は以下の手段を採用する。
すなわち、本発明にかかるクランクケースヒータを備えた空気調和機は、圧縮機にクランクケースヒータが設けられ、電源投入時に前記クランクケースヒータに通電し、所定時間が経過後に前記圧縮機を起動する起動制御部を備えている空気調和機において、非通電状態からの復帰時、吐出管温度センサで検出された吐出管温度Ｔｄと外気温度センサで検出された外気温度Ｔｏｕｔとの温度差（Ｔｄ−Ｔｏｕｔ）に基づいて、その温度差が設定温度以上の場合、停電等による一時的な非通電状態からの復帰と判定し、前記起動制御部による前記圧縮機の起動禁止を解除する起動禁止解除手段が設けられていることを特徴とする。
【０００９】
空気調和機が運転中に停電等により停止した場合、圧縮機も停止し、その吐出管温度および油温も徐々に低下する。この際、油の方が銅管からなる吐出管よりも熱容量が大きいことから、油温の方が吐出管温度よりも緩やかに低下し、或る時間が経過すると、その温度差が０ｄｅｇとなり、外気温と同一温度となる。本発明は、この点に着目し、既設の吐出管温度センサおよび外気温度センサで検出された吐出管温度Ｔｄと外気温度Ｔｏｕｔとの温度差（Ｔｄ−Ｔｏｕｔ）を算出し、その温度差に基づいて、該温度差が設定温度以上の場合、停電等による一時的な非通電状態からの復帰と判定し、起動制御部による圧縮機の起動禁止を解除する起動禁止解除手段を設けた構成としているため、非通電状態から通電状態への復帰時、吐出管温度センサおよび外気温度センサで検出された吐出管温度Ｔｄと外気温度Ｔｏｕｔとの温度差（Ｔｄ−Ｔｏｕｔ）に基づいて、非通電時間が長いか否かを判断し、温度差が設定温度以上の場合、停電等による一時的な非通電状態からの復帰であると判定して起動制御部による圧縮機の起動禁止を解除し、直ちに圧縮機を起動することができる。従って、停電等による一時的な非通電状態を検知し、停電復帰後の圧縮機起動禁止を回避して空気調和機を正常に運転することができる。また、吐出管温度センサおよび外気温度センサについては、既設のセンサをそのまま利用できることから、新たにセンサ類を追加する必要がなく、簡易に一時的な非通電状態か否かを判断し、圧縮機を起動制御することができる。
【００１０】
さらに、本発明のクランクケースヒータを備えた空気調和機は、上記のクランクケースヒータを備えた空気調和機において、前記温度差（Ｔｄ−Ｔｏｕｔ）が、５ｄｅｇ以上の場合、停電等による一時的な非通電状態からの復帰であると判定し、前記起動禁止解除手段によって前記起動制御部による前記圧縮機の起動禁止を解除することを特徴とする。
【００１１】
本発明によれば、温度差（Ｔｄ−Ｔｏｕｔ）が、５ｄｅｇ以上の場合、停電等による一時的な非通電状態からの復帰であると判定し、起動禁止解除手段によって起動制御部による圧縮機の起動禁止を解除するようにしているため、吐出管温度Ｔｄと外気温度Ｔｏｕｔとの温度差（Ｔｄ−Ｔｏｕｔ）の閾値を５ｄｅｇとすることにより、通常使われている温度センサ（サーミスタ）の誤差を吸収するとともに、圧縮機の起動禁止解除判定までの時間を可及的に長く確保し、かつ油温が確実で高い状態で判別できることから、通電状態への復帰が停電等による一時的な非通電状態からの復帰であることを確実に判別することができる。従って、圧縮機の起動禁止を解除する手段の信頼性を確保し、誤動作が生じないように圧縮機を確実に起動制御することができる。
【発明の効果】
【００１２】
本発明によると、非通電状態から通電状態への復帰時、吐出管温度センサおよび外気温度センサで検出された吐出管温度Ｔｄと外気温度Ｔｏｕｔとの温度差（Ｔｄ−Ｔｏｕｔ）に基づいて、非通電時間が長いか否かを判断し、温度差が設定温度以上の場合、停電等による一時的な非通電状態からの復帰であると判定して起動制御部による圧縮機の起動禁止を解除し、直ちに圧縮機を起動することができるため、停電等による一時的な非通電状態を検知し、停電復帰後の圧縮機起動禁止を回避して空気調和機を正常に運転することができる。また、吐出管温度センサおよび外気温度センサについては、既設のセンサをそのまま利用できることから、新たにセンサ類を追加する必要がなく、簡易に一時的な非通電状態か否かを判断し、圧縮機を起動制御することができる。
【図面の簡単な説明】
【００１３】
【図１】本発明の一実施形態に係るマルチ空気調和機の概略構成図である。
【図２】図１に示すマルチ空気調和機の運転停止時の吐出管温度、油温および外気温の変化状態の説明図である。
【図３】圧縮機停止時（Ａ）における吐出管温度センサ（ＴｈｏＤ１）および油温の計測データ（Ｂ），（Ｃ）の一例を示すものである。
【発明を実施するための形態】
【００１４】
以下に、本発明の一実施形態について、図１ないし図３を参照して説明する。
図１には、本発明の一実施形態に係るマルチ空気調和機の概略構成図が示され、図２には、その運転停止時の吐出管温度、油温、外気温の変化状態の説明図が示されている。
マルチタイプの空気調和機（以下、単に空気調和機と称する場合もある。）１は、１台の室外機２に対して、複数台の室内機３Ａ，３Ｂが室外機２から導出されるガス側配管４および液側配管５の間に分岐器６を介して互いに並列に接続されたものである。
【００１５】
室外機２は、冷媒を圧縮するインバータ駆動の圧縮機１０と、冷媒ガス中から油を分離する油分離器１１と、冷媒の循環方向を切換える四方切換弁１２と、冷媒と外気とを熱交換させる室外熱交換器１３と、室外熱交換器１３と一体的に構成されている過冷却コイル１４と、室外側膨張弁（ＥＥＶＨ）１５と、液冷媒を貯留するレシーバ１６と、液冷媒に過冷却を与える過冷却熱交換器１７と、過冷却熱交換器１７に分流される冷媒量を制御する過冷却用膨張弁（ＥＥＶＳＣ）１８と、圧縮機１０に吸入される冷媒ガスから液分を分離し、ガス分のみを圧縮機１０側に吸入させるアキュームレータ１９と、ガス側操作弁２０および液側操作弁２１と、を備えている。
【００１６】
室外機２側の上記各機器は、冷媒配管２２を介して公知の如く接続され、室外側冷媒回路２３を構成している。また、室外機２には、室外熱交換器１３に対して外気を通風するための室外ファン２４が設けられているとともに、油分離器１１と圧縮機１０の吸入配管との間に、油分離器１１内で吐出冷媒ガスから分離された潤滑油を所定量ずつ圧縮機１０側に戻すための油戻し回路２５が設けられている。
【００１７】
ガス側配管４および液側配管５は、室外機２のガス側操作弁２０および液側操作弁２１に接続される冷媒配管であり、現場での据え付け施工時に、室外機２とそれに接続される複数台の室内機３Ａ，３Ｂとの間の距離に応じて、その配管長が設定されるようになっている。ガス側配管４および液側配管５の途中には、適宜数の分岐器６が設けられ、該分岐器６を介して適宜台数の室内機３Ａ，３Ｂが接続されている。これによって、密閉された１系統の冷凍サイクル（冷媒回路）７が構成されている。
【００１８】
室内機３Ａ，３Ｂは、室内空気を冷媒と熱交換させて室内の空調に供する室内熱交換器３０と、室内側膨張弁（ＥＥＶＣ）３１と、室内熱交換器３０に対して室内空気を循環させる室内ファン３２とを備えており、室内側の分岐ガス側配管４Ａ，４Ｂおよび分岐液側配管５Ａ，５Ｂを介して分岐器６に接続されている。
【００１９】
上記の空気調和機１において、冷房運転は、以下のように行われる。
圧縮機１０で圧縮され、吐出された高温高圧の冷媒ガスは、油分離器１１で冷媒中に含まれている油が分離される。その後、冷媒ガスは、四方切換弁１２により室外熱交換器１３側に循環され、室外熱交換器１３で室外ファン２４により送風される外気と熱交換して凝縮液化される。この液冷媒は、過冷却コイル１４で更に冷却された後、室外側膨張弁１５を通過し、レシーバ１６内にいったん貯留される。
【００２０】
レシーバ１６で循環量が調整された液冷媒は、過冷却熱交換器１７を経て液冷媒配管側を流通される過程で、液冷媒配管から分流され、過冷却用膨張弁（ＥＥＶＳＣ）１８で断熱膨張された一部の冷媒と熱交換されて過冷却度が付与される。この液冷媒は、液側操作弁２１を経て室外機２から液側配管５へと導出される。更に液側配管５に導出された液冷媒は、分岐器６を介して各室内機３Ａ，３Ｂの分岐液側配管５Ａ，５Ｂへと分流される。
【００２１】
分岐液側配管５Ａ，５Ｂに分流された液冷媒は、各室内機３Ａ，３Ｂに流入し、室内側膨張弁（ＥＥＶＣ）３１で断熱膨張され、気液二相流となって室内熱交換器３０に流入される。室内熱交換器３０では、室内ファン３２により循環される室内空気と冷媒とが熱交換され、室内空気は冷却されて室内の冷房に供される。一方、冷媒はガス化され、分岐ガス側配管４Ａ，４Ｂを経て分岐器６に至り、他の室内機からの冷媒ガスとガス側配管４で合流される。
【００２２】
ガス側配管４で合流された冷媒ガスは、再び室外機２に戻り、ガス側操作弁２０、四方切換弁１２を経て、過冷却熱交換器１７からの冷媒ガスと合流された後、アキュームレータ１９に導入される。アキュームレータ１９では、冷媒ガス中に含まれている液分が分離され、ガス分のみが圧縮機１０に吸入される。この冷媒は、圧縮機１０において再び圧縮され、以上のサイクルを繰り返すことによって冷房運転が行われる。
【００２３】
一方、暖房運転は、以下のように行われる。
圧縮機１０により圧縮され、吐出された高温高圧の冷媒ガスは、油分離器１１で冷媒中に含まれている油が分離された後、四方切換弁１２を介してガス側操作弁２０側に循環される。ガス側操作弁２０側に循環された冷媒は、ガス側配管４を介して室外機２から導出され、分岐器６、室内側の分岐ガス側配管４Ａ，４Ｂを経て複数台の室内機３Ａ，３Ｂに導入される。
【００２４】
室内機３Ａ，３Ｂに導入された高温高圧の冷媒ガスは、室内熱交換器３０で室内ファン３２を介して循環される室内空気と熱交換され、室内空気は加熱されて室内の暖房に供される。室内熱交換器３０で凝縮された液冷媒は、室内側膨張弁（ＥＥＶＣ）３１、分岐液側配管５Ａ，５Ｂを経て分岐器６に至り、他の室内機からの冷媒と合流された後、液側配管５を経て室外機２側に戻される。なお、暖房時、室内機３Ａ，３Ｂでは、凝縮器として機能する室内熱交換器３０の冷媒出口温度（以下、熱交出口温度という。）または冷媒過冷却度が目標値となるように、室内側膨張弁（ＥＥＶＣ）３１の開度が制御されるようになっている。
【００２５】
室外機２側に戻った冷媒は、液側操作弁２１を経て過冷却熱交換器１７に至り、冷房時の場合と同様に過冷却が付与された後、レシーバ１６に流入され、いったん貯留されることにより循環量が調整される。この液冷媒は、室外側膨張弁（ＥＥＶＨ）１５に供給されて断熱膨張された後、過冷却コイル１４を経て室外熱交換器１３に流入される。
【００２６】
室外熱交換器１３においては、室外ファン２４を介して送風される外気と冷媒とが熱交換され、冷媒は外気から吸熱して蒸発ガス化される。該冷媒は、室外熱交換器１３から四方切換弁１２を経て、過冷却熱交換器１７からの冷媒ガスと合流された後、アキュームレータ１９に導入される。アキュームレータ１９では、冷媒ガス中に含まれている液分が分離されてガス分のみが圧縮機１０に吸入され、圧縮機１０において再び圧縮される。以上のサイクルを繰り返すことによって暖房運転が行われる。
【００２７】
さらに、上記空気調和機１において、圧縮機１０には、図１に示されるように、ハウジング１０Ａの外周下部にクランクケースヒータ（以下、ＣＨと略称する。）４０が付設されている。このＣＨ４０は、圧縮機１０が停止期間中に、圧縮機１０内に冷媒が液状態となって溜り込んで油に溶け込み、圧縮機１０を起動する際に、液圧縮を起こしたり、必要な油膜を形成できなかったりすることによって圧縮機１０が損傷するのを防止するためのものであり、空気調和機１を運転する前にＣＨ４０に通電して圧縮機１０を加熱し、液冷媒を圧縮機１０から追出すことにより、圧縮機１０を保護する役割を担っている。
【００２８】
室外コントローラ４１には、空気調和機１の電源がＯＮ状態（通電状態）とされているときは、圧縮機１０が停止期間中、常にＣＨ４０をＯＮ状態とし、空気調和機１の電源がＯＦＦ状態（非通電状態）からＯＮ状態（通電状態）とされたときは、ＣＨ４０をＯＮ状態とするとともに、圧縮機１０の起動を一定の時間禁止し、一定の時間が経過後に圧縮機１０を起動可能とする起動制御部４２が設けられている。
【００２９】
また、室外コントローラ４１には、起動制御部４２による圧縮機１０の起動制御およびＣＨ４０のＯＮ／ＯＦＦ制御にかかわらず、停電等による一時的な電源ＯＦＦ状態からＯＮ状態への復帰であるか否かを判定し、停電等による一時的なＯＦＦ状態からの復帰であると判定されたとき、起動制御部４２による圧縮機１０の起動禁止を解除し、直ちに圧縮機１０を起動する起動禁止解除手段４３が設けられている。
【００３０】
この起動禁止解除手段４３は、電源がＯＦＦ状態からＯＮ状態への復帰時、圧縮機１０の吐出管２２Ａに設置されている吐出管温度センサ（サーミスタ）４４および室外ファン２４の外気吸込み側に設置されている外気温度センサ（サーミスタ）４５の検出値を取り込み、その温度差、すなわち吐出管温度センサ４４で検出された吐出管温度Ｔｄと、外気温度センサ４５で検出された外気温度Ｔｏｕｔとの差（Ｔｄ−Ｔｏｕｔ）を算出し、その温度差に基づいて、該温度差が設定温度以上の場合、停電等による一時的なＯＦＦ状態からの復帰と判定し、起動制御部４２による圧縮機１０の起動禁止を解除する機能を有するものである。
【００３１】
ここで、電源がＯＦＦ状態からＯＮ状態への復帰時、吐出管温度Ｔｄと外気温度Ｔｏｕｔとの温度差（Ｔｄ−Ｔｏｕｔ）が、設定温度以上の場合に「停電等による一時的なＯＦＦ状態からの復帰」と判定できる理由について、図２および図３を用いて説明する。
空気調和機１が長時間停止した状態において、吐出管温度Ｔｄおよび圧縮機１０の油温Ｔｏｉｌは、外気温度Ｔｏｕｔと等しく、それらの温度差は０ｄｅｇである。一方、空気調和機１が運転すると、吐出管温度Ｔｄは、８０−９０℃程度まで上昇し、油温Ｔｏｉｌもそれに伴って上昇する。
【００３２】
この状態で、電源がＯＦＦとなり、空気調和機１（圧縮機１０）が停止すると、図２に示されるように、吐出管温度Ｔｄおよび油温Ｔｏｉｌは、徐々に低下する。この際、油の方が銅管からなる吐出管２２Ａよりも熱容量が大きいことから、油温Ｔｏｉｌの方が吐出管温度Ｔｄよりも緩やかに低下し、或る時間経過すると、吐出管温度Ｔｄの方が油温Ｔｏｉｌよりも低くなり、ｂ時間後に吐出管温度Ｔｄと外気温度Ｔｏｕｔとが等しく、その温度差が０ｄｅｇとなる。この段階で、油温Ｔｏｉｌは、吐出管温度Ｔｄよりも高い状態を維持しており、更に遅れたｃ時間後に外気温度Ｔｏｕｔと等しく、その温度差が０ｄｅｇとなる。
【００３３】
この吐出管温度Ｔｄおよび油温Ｔｏｉｌの変化状態は、図３に示される実測データからも明らかである。図３は、（Ａ）に示されるように、圧縮機停止タイムｔで圧縮機駆動周波数（Ｈｚ）を０として圧縮機１０を停止したときの吐出管温度センサ（ＴｈｏＤ１）４４の検出値と油温Ｔｏｉｌの検出値の時間経過に対する変化状態を表したものである。
以上のように、油よりも吐出管２２Ａの方が、熱容量が小さいため、吐出管温度Ｔｄと外気温度Ｔｏｕｔとの温度差が０ｄｅｇになっても、油温Ｔｏｉｌは高い状態を保つ。しかし、温度差を０ｄｅｇとして制御した場合、図２に示すｂからｃまでの時間では、油温Ｔｏｉｌが外気温度Ｔｏｕｔよりも確実に高いか否かを判別することができなくする。
【００３４】
そこで、本実施形態においては、２つの吐出管温度センサ４４および外気温度センサ４５の誤差を加味する（吸収する）とともに、圧縮機１０の起動禁止解除判定までの時間ａを可及的に長く確保し、かつ油温が確実に高い状態で判別できるようにするため、温度差５ｄｅｇを閾値としている。従って、電源がＯＦＦ状態からＯＮ状態への復帰時、吐出管温度Ｔｄと外気温度Ｔｏｕｔとの温度差（Ｔｄ−Ｔｏｕｔ）が５ｄｅｇ以上の場合、確実に「停電等による一時的なＯＦＦ状態からの復帰」と判定してもよいことになる。
【００３５】
斯くして、本実施形態によれば、以下の作用効果を奏する。
空気調和機１が運転中に停電等により停止した場合、圧縮機１０も停止し、図２，図３に示されるように、吐出管温度Ｔｄおよび油温Ｔｏｉｌも徐々に低下する。この際、油の方が銅管からなる吐出管２２Ａよりも熱容量が大きいことから、油温Ｔｏｉｌの方が吐出管温度Ｔｄよりも緩やかに低下し、或る時間ｃが経過した時点で、その温度差が０ｄｅｇとなり、外気温Ｔｏｕｔと同一温度となる。
【００３６】
本実施形態においては、この吐出管温度Ｔｄおよび油温Ｔｏｉｌの変化と外気温Ｔｏｕｔとの関係に着目し、電源がＯＦＦ状態からＯＮ状態への復帰時、如何なる空気調和機１にも必ず設置されている吐出管温度センサ４４および外気温度センサ４５によって検出された吐出管温度Ｔｄと外気温度Ｔｏｕｔとの温度差（Ｔｄ−Ｔｏｕｔ）を算出し、その温度差に基づいて、該温度差が設定温度（５ｄｅｇ）以上の場合、停電等による一時的な非通電状態からの復帰と判定するようにしている。
【００３７】
そして、この判定結果に基づいて、空気調和機１の電源がＯＦＦ状態（非通電状態）からＯＮ状態（通電状態）とされたとき、ＣＨ４０をＯＮ状態とするとともに、圧縮機１０の起動を一定時間禁止し、一定時間経過後に圧縮機１０を起動するようにしている起動制御部４２を介して起動が禁止されている圧縮機１０の起動禁止を、起動禁止解除手段４３を介して解除し、直ちに圧縮機１０を起動することができるようにしている。
【００３８】
つまり、通常、電源がＯＦＦ状態（非通電状態）からＯＮ状態（通電状態）とされたときは、空気調和機１が停止状態だったため、圧縮機１０および油が外気温と同温度まで冷やされ、油中に液冷媒が溶け込んでいる可能性が高い。この状態で直ぐに圧縮機１０を起動すると、液圧縮の発生や必要な油膜の不形成により圧縮機が損傷する虞がある。この問題を解消するため、電源がＯＦＦ状態（非通電状態）からの復帰時、起動制御部４２によりＣＨ４０をＯＮ状態とするとともに、圧縮機１０の起動を一定の時間禁止している。
【００３９】
しかるに、停電等による一時的なＯＦＦ状態（非通電状態）からの復帰の場合、油中に液冷媒が溶け込んだ状態となることはなく、液圧縮の発生や必要な油膜が形成できずに圧縮機が損傷する心配がないことから、圧縮機１０を直ちに起動しても問題はない。本実施形態では、起動禁止解除手段４３が、吐出管温度Ｔｄと外気温度Ｔｏｕｔとの温度差（Ｔｄ−Ｔｏｕｔ）に基づいて、非通電時間が長かったか否かを判定する。そして、その温度差が５ｄｅｇ以上の場合、電源の復帰が停電等による一時的な非通電状態からの復帰であると判定し、起動制御部４２による圧縮機１０の起動禁止を解除して、直ちに圧縮機１０を起動可能としている。
【００４０】
従って、停電等による一時的な非通電状態を検知し、停電復帰後の起動制御部４２による圧縮機起動禁止を回避して空気調和機１を正常に運転することができる。また、吐出管温度センサ４４および外気温度センサ４５については、既設のセンサをそのまま利用することができることから、新たにセンサ類を追加する必要がなく、簡易に一時的な非通電状態か否かを判断し、圧縮機１０を起動制御することができる。
【００４１】
さらに、吐出管温度Ｔｄと外気温度Ｔｏｕｔとの温度差（Ｔｄ−Ｔｏｕｔ）の閾値を５ｄｅｇとすることにより、通常使われている温度センサ４４，４５（サーミスタ）の誤差を吸収するとともに、圧縮機１０の起動禁止解除判定までの時間をより長く確保し、かつ油温Ｔｏｉｌが確実で高い状態で判別できることから、通電状態への復帰が停電等による一時的な非通電状態からの復帰であることを確実に判別することができる。従って、圧縮機１０の起動禁止を解除する起動禁止解除手段４３の信頼性を確保し、誤動作が生じないように圧縮機１０を確実に起動制御することができる。
【００４２】
なお、本発明は、上記実施形態にかかる発明に限定されるものではなく、その要旨を逸脱しない範囲において、適宜変形が可能である。例えば、上記実施形態では、マルチ空気調和機１に適用した例について説明したが、室外機２に対して１台の室内機が接続されたシングルタイプの空気調和機にも同様に適用できることは云うまでもない。また、上記実施形態では、±２℃程度の誤差が見込まれるサーミスタを２個使って温度差（Ｔｄ−Ｔｏｕｔ）を算出するようにしていることから、有意な温度を検出するための閾値を５ｄｅｇとしているが、高精度の温度センサであれば、閾値を更に小さくすることにより、判定時間をより長くすることが可能とかる。
【符号の説明】
【００４３】
１  空気調和機
１０  圧縮機
４０  クランクケースヒータ（ＣＨ）
４１  室外コントローラ
４２  起動制御部
４３  起動禁止解除手段
４４  吐出管温度センサ
４５  外気温度センサ
【図１】
2013145092.tif 000003
【図２】
2013145092.tif 000004
【図３】
2013145092.tif 000005